(57)【要約】【課題】  システムの構築が非常に簡単であり、監視対象者の移動を監視し、かつ、予め登録した関係者に対して徘徊の虞を連絡することができる監視システムを提供すること。【解決手段】  通信ネットワーク１に接続されたサーバー２と、通信ネットワークを介してサーバーに接続された監視装置４と、サーバーにアクセス可能な情報端末装置３と、サーバーからのメールを受信可能な受信端末装置５とを備えた監視システムであって、監視装置の顔認識処理部４３が、顔データベース４５に登録されている監視対象者の顔を認識した場合に、監視装置は、動画処理部により作成した動画ファイル及び録画時間情報をサーバーに送信するとともに、サーバーは、受信端末装置に、録画時間情報と、監視対象者情報及び動画ファイルが閲覧可能なＵＲＬを表示したメールを送信する。【選択図】図１
2020135047.tif 000002
【特許請求の範囲】
【請求項１】
通信ネットワークに接続されたサーバーと、通信ネットワークを介して前記サーバーに接続された監視装置と、前記サーバーにアクセス可能な情報端末装置と、前記サーバーからのメールを受信可能な受信端末装置とを備えた監視システムであって、
前記サーバーは、監視装置情報と、監視対象者情報と、受信端末装置のメールアドレス情報とを格納するための監視装置データベースと、前記監視装置から送信された動画情報を格納する動画情報フォルダと、前記監視装置、情報端末装置及び受信端末装置とのアクセスを制御するアクセス制御部と、前記監視装置データベース内の情報から通信設定用ＱＲコード及び監視対象者登録用ＱＲコードを生成するＱＲコード生成処理部と、アクセスした端末装置に各種画面を表示させる画面表示処理部と、前記受信端末装置にメールを送信するメール送信処理部を備え、
前記情報端末装置は、前記サーバーの前記監視装置データベースにデータを入力するとともに、前記サーバーで生成されたＱＲコードを表示する機能を有し、
前記監視装置は、カメラと、顔データベースと、前記通信設定用ＱＲコードを前記カメラから読み取って前記監視装置の通信設定を行う通信設定処理部と、前記監視対象者登録用ＱＲコードを前記カメラから読み取って監視対象者の顔を前記顔データベースに登録する顔登録処理部と、前記カメラの映像から、前記顔データベースに登録された人の顔を認識する顔認識処理部と、該顔認識処理部により登録された顔を認識した場合に、前記カメラの映像の動画ファイルを作成して、録画時間情報とともに前記サーバーに送信する動画ファイル処理部とを有し、
前記監視装置の顔認識処理部が、前記顔データベースに登録されている監視対象者の顔を認識した場合に、前記監視装置は、動画処理部により作成した動画ファイル及び録画時間情報を前記サーバーに送信するとともに、
前記サーバーは、前記受信端末装置に、録画時間情報と、監視対象者情報及び動画ファイルが閲覧可能なＵＲＬを表示したメールを送信することを特徴とする監視システム。
【請求項２】
前記監視装置には音声出力処理部が設けられており、前記サーバーで生成された音声設定用ＱＲコードにより音声アナウンスを設定することにより、前記顔データベースに登録されている監視対象者の顔を認識した場合に、設定した音声アナウンスが出力されることを特徴とする請求項１に記載の監視システム。
【請求項３】
前記サーバーで生成された関係者登録用ＱＲコードを前記カメラから読み取って関係者の顔を前記顔データベースに登録可能であることを特徴とする請求項１又は２に記載の監視システム。
【請求項４】
前記サーバーが、少なくとも音量設定用ＱＲコード、カメラ映像テスト用ＱＲコード、電源ＯＦＦ用ＱＲコードのいずれかが生成可能であることを特徴とする請求項１から３のいずれか一項に記載の監視システム。
【請求項５】
前記受信端末装置から、前記サーバーに保存されている前記動画ファイルが削除可能であることを特徴とする請求項１から４のいずれか一項に記載の監視システム。
【請求項６】
前記サーバーが、ログデータベースを備えることを特徴とする請求項１から５のいずれか一項に記載の監視システム。
【発明の詳細な説明】
【技術分野】
【０００１】
本発明は、監視システムに関するものであり、詳しくは、登録した徘徊癖のある監視対象者の徘徊を監視する監視システムに関する。
【背景技術】
【０００２】
近年の高齢者の人口増加に伴って認知症患者が増加しており、徘徊癖のある認知症患者の徘徊中の事故が社会問題となっている。このような問題に対してこれまでに、徘徊癖のある認知症患者を保護するための徘徊防止システムが提案されている（例えば、特許文献１を参照）。
【０００３】
この徘徊防止システムは、保護対象者に情報端末を保持させておき、その情報端末に入力されている保護対象者情報及びその情報端末により特定した位置情報を顔認証照合装置に送信し、複数のカメラで撮影した顔と登録された顔とを照合して徘徊を特定し、登録された携帯端末に保護対象者情報及び画像を送信するシステムである。そして、これにより徘徊する虞がある保護対象者を効率的に保護することができるとしている。
【先行技術文献】
【特許文献】
【０００４】
【特許文献１】特許第５８７６９２０号公報
【発明の概要】
【発明が解決しようとする課題】
【０００５】
しかしながら、特許文献１に記載の徘徊防止システムでは、保護対象者に情報端末を保持させることを必須の条件としているため、例えば、保護対象者が情報端末を置き忘れるなどして保持しない状態では機能しないシステムであった。
【０００６】
また、複数のカメラや位置情報発信器を監視する施設全体に配置させる必要があり、さらに、保護者情報等を送信する携帯端末には予め専用のアプリケーションをダウンロードしておく必要があるため、システム構築に手間と時間がかかり、非常に煩雑なものであった。
【０００７】
本発明は、上記問題に鑑みてなされたものであり、システムの構築が簡単であり、監視対象者の移動を監視し、かつ、予め登録した家族等の関係者に対して徘徊の虞を連絡することができる監視システムを提供することを課題とするものである。
【課題を解決するための手段】
【０００８】
本発明によれば、以下に示す監視システムが提供される。
【０００９】
第１に、通信ネットワークに接続されたサーバーと、通信ネットワークを介して前記サーバーに接続された監視装置と、前記サーバーにアクセス可能な情報端末装置と、前記サーバーからのメールを受信可能な受信端末装置とを備えた監視システムであって、
前記サーバーは、監視装置情報と、監視対象者情報と、受信端末装置のメールアドレス情報とを格納するための監視装置データベースと、前記監視装置から送信された動画情報を格納する動画情報フォルダと、前記監視装置、情報端末装置及び受信端末装置とのアクセスを制御するアクセス制御部と、前記監視装置データベース内の情報から通信設定用ＱＲコード及び監視対象者登録用ＱＲコードを生成するＱＲコード生成処理部と、アクセスした端末装置に各種画面を表示させる画面表示処理部と、前記受信端末装置にメールを送信するメール送信処理部を備え、
前記情報端末装置は、前記サーバーの前記監視装置データベースにデータを入力するとともに、前記サーバーで生成されたＱＲコードを表示する機能を有し、
前記監視装置は、カメラと、顔データベースと、前記通信設定用ＱＲコードを前記カメラから読み取って前記監視装置の通信設定を行う通信設定処理部と、前記監視対象者登録用ＱＲコードを前記カメラから読み取って監視対象者の顔を前記顔データベースに登録する顔登録処理部と、前記カメラの映像から、前記顔データベースに登録された人の顔を認識する顔認識処理部と、該顔認識処理部により登録された顔を認識した場合に、前記カメラの映像の動画ファイルを作成して、録画時間情報とともに前記サーバーに送信する動画ファイル処理部とを有し、
前記監視装置の顔認識処理部が、前記顔データベースに登録されている監視対象者の顔を認識した場合に、前記監視装置は、動画処理部により作成した動画ファイル及び録画時間情報を前記サーバーに送信するとともに、
前記サーバーは、前記受信端末装置に、録画時間情報と、監視対象者情報及び動画ファイルが閲覧可能なＵＲＬを表示したメールを送信することを特徴とする。
【００１０】
第２に、前記第１の発明の監視システムにおいて、前記監視装置には音声出力処理部が設けられており、前記サーバーで生成された音声設定用ＱＲコードにより音声アナウンスを設定することにより、前記顔データベースに登録されている監視対象者の顔を認識した場合に、設定した音声アナウンスが出力されることが好ましい。
【００１１】
第３に、前記第１又は第２の発明の監視システムにおいて、前記サーバーで生成された関係者登録用ＱＲコードを前記カメラから読み取って関係者の顔を前記顔データベースに登録可能であることが好ましい。
【００１２】
第４に、前記第１から第３の発明の監視システムにおいて、前記サーバーが、少なくとも音量設定用ＱＲコード、カメラ映像テスト用ＱＲコード、電源ＯＦＦ用ＱＲコードのいずれかが生成可能であることが好ましい。
【００１３】
第５に、前記第１から第４の発明の監視システムにおいて、前記受信端末装置から、前記サーバーに保存されている前記動画ファイルが削除可能であることが好ましい。
【００１４】
第６に、前記第１から第５の発明の監視システムにおいて、前記サーバーが、ログデータベースを備えることが好ましい。
【発明の効果】
【００１５】
本発明の監視システムによれば、システムの構築が簡単であり、監視対象者の移動を監視し、かつ、予め登録した家族等の関係者に対して徘徊の虞を連絡することが可能となる。
【図面の簡単な説明】
【００１６】
【図１】本発明の監視システムの全体構成を示す模式図である。
【図２】監視装置の一実施形態を示す写真である。
【図３】ＩＤ、パスワードの入力画面の一実施形態を示す概略図である。
【図４】利用者情報画面の一実施形態を示す概略図である。
【図５】利用者情報編集画面の一実施形態を示す概略図である。
【図６】カメラ各種設定画面の一実施形態を示す概略図である。
【図７】ログインパスワード設定画面の一実施形態を示す概略図である。
【図８】（Ａ）は、Ｗｉ−Ｆｉ設定画面の一実施形態を示す概略図であり、（Ｂ）は、生成した通信設定用ＱＲコードの表示画面の一実施形態を示す概略図である。
【図９】本人登録画面の一実施形態を示す概略図である。
【図１０】（Ａ）は、関係者（家族等）のメール宛先設定画面の一実施形態を示す概略図であり、（Ｂ）は、支援者（近親者、警察、消防、自治体等）のメール宛先設定画面の一実施形態を示す概略図である。
【図１１】家族登録画面の一実施形態を示す概略図である。
【図１２】音声選択画面の一実施形態を示す概略図である。
【図１３】音量設定画面の一実施形態を示す概略図である。
【図１４】カメラ映像テスト画面の一実施形態を示す概略図である。
【図１５】電源ＯＦＦ画面の一実施形態を示す概略図である。
【図１６】受信メールの一実施形態を示す概略図である。
【図１７】閲覧可能なページの一実施形態を示す概略図である。
【発明を実施するための形態】
【００１７】
以下、本発明に係る監視システムの実施形態について図面を用いて詳細に説明する。
【００１８】
図１は、本発明の監視システムの一実施形態の全体構成を示す模式図である。本発明の監視システムは、登録された監視対象者の移動を監視し、所定の端末装置に移動の状況をメールで通知する監視システムであり、基本的な構成として、サーバー２、監視装置４、情報端末装置３及び受信端末装置５とを備えている。以下に各々の構成及び機能について詳述する。
【００１９】
＜サーバー＞
サーバー２は、通信ネットワーク１（以下、インターネットともいう）に接続され、監視装置４、情報端末装置３、受信端末装置５とのアクセスが可能となっており、監視装置情報、監視対象者情報及び受信端末装置５のメールアドレス情報とを格納する監視装置データベース２４と、監視装置４から送信された動画情報を格納する動画情報フォルダ２５を備えている。また、サーバー２は、アクセス制御部２０、ＱＲコード生成処理部２１、画面表示処理部２２及びメール送信処理部２３を有している。
【００２０】
（監視装置データベース）
監視装置データベース２４は、少なくとも監視装置情報、監視対象者情報、受信端末装置５のメールアドレス情報を格納するデータベースである。
【００２１】
監視装置情報の管理項目は、システムの仕様に応じて適宜設定することができるが、例えば、監視装置のシリアルナンバー、接続用ＩＤ、パスワード、通信設定情報等の項目が挙げられる。また、監視装置４のシリアルナンバー、接続用ＩＤの登録は、監視装置４の出荷時に監視装置４からサーバー２に送信して登録しておいたり、直接サーバー２の監視装置データベース２４に入力することにより登録することができる。また、パスワードは、初期設定においては接続用ＩＤと同様のものに設定しておき、接続後に任意のパスワードに変更することができる。
【００２２】
監視対象者情報の管理項目としては、例えば、監視対象者番号、氏名、年齢、性別、身長、身体的特徴・癖、行動予測範囲、登録監視装置情報等が挙げられる。これら監視対象者に関連する情報は、サーバー２にアクセスした情報端末装置３から直接入力して保存することができる。
【００２３】
メールアドレス情報は、登録した監視対象者の検知に対してメールを送信するメールアドレスを管理する項目であり、複数の受信端末装置５のメールアドレスを登録することができる。具体的には、例えば、家族等を含む関係者のメールアドレスと、近親者、警察、消防、自治体等を含む支援者のメールアドレスを分けて管理することができる。
ここで、関係者（家族等）で登録されたメールアドレスは、後述する第１報として送信するメールアドレスとして管理し、支援者（近親者、警察、消防、自治体等）のメールアドレスは第２報として送信するメールアドレスとして管理することができる。
【００２４】
（動画情報フォルダ）
動画情報フォルダ２５は、監視装置４から送信された動画情報を格納するためのフォルダであり、監視装置４で録画した動画ファイルと録画時間情報、また、動画ファイルに関連付けられた監視対象者の情報のＨＴＭＬファイルが格納される。
【００２５】
（アクセス制御部）
アクセス制御部２０は、サーバー２に対する監視装置４、情報端末装置３、受信端末装置５のアクセスに際し、適正なアクセスのみを認証するための制御部である。具体的には、外部からサーバー２にアクセスする際に、適正な接続用ＩＤとパスワードを入力したときのみアクセスを許可する機能を有している。
【００２６】
（ＱＲコード生成処理部）
ＱＲコード生成処理部２１は、特定の項目に関連する情報を含むＱＲコードを生成するための処理部である。生成したＱＲコードは、サーバー２にアクセスした情報端末装置３に表示させて、監視装置４のカメラ４０から読み込ませることにより、監視装置４に対する設定、登録、操作等を実行させることができる。ＱＲコードを生成可能な項目はシステムの仕様に応じて適宜設定することができるが、少なくとも通信設定用ＱＲコード及び監視対象者登録用ＱＲコードを生成する機能を有している。
【００２７】
通信設定用ＱＲコードは、監視装置４の通信設定に用いるＱＲコードであり、監視装置データベース２４の通信設定情報項目の情報の入力に伴なって生成されるＱＲコードである。入力する情報としては、Ｗｉ−Ｆｉ接続の設定の場合にはＳＳＩＤ、ＳＳＩＤパスワードが挙げられる。
【００２８】
また、監視対象者登録用ＱＲコードは、監視装置４の顔認識処理部４３に監視対象者の顔を登録させるためのＱＲコードであり、アクセスした情報端末装置３により、監視装置データベース２４内に登録した監視対象者を選択して生成させることができる。
【００２９】
また、本実施形態の監視システムにおいては、上記ＱＲコード以外にも、例えば、音声アナウンスの音量の設定をするための音量設定用ＱＲコード、顔の認識精度を確認するためのカメラ映像テスト用ＱＲコード、監視装置４の電源を切断するための電源ＯＦＦ用ＱＲコード、さらに、監視装置４の顔認識処理部４３に監視対象者以外の家族等の関係者の顔を登録させるための関係者登録用ＱＲコードを生成させることができる。
【００３０】
（画面表示処理部）
画面表示処理部２２は、サーバー２にアクセスした情報端末装置３に、各種入力画面や、生成させた上記ＱＲコードを表示させる処理部である。具体的には、情報端末装置３のＷｅｂブラウザを介してサーバー２にアクセスした際に、接続用ＩＤ、パスワードを入力するための認証画面、各種入力項目を選択可能なメニュー画面、各項目にデータを入力するための入力画面、ＱＲコードを生成させた画面を表示させる機能を有している。
【００３１】
（メール送信処理部）
メール送信処理部２３は、受信端末装置５に送信するメールを作成して、登録したメールアドレス宛にメールを送信する機能を有している。具体的には、例えば、監視装置４が動画ファイルをサーバー２の動画情報フォルダ２５に送信して保存したときに、受信した情報と動画ファイルを使用して、受信端末装置５で閲覧可能な監視対象者情報を含むＨＴＭＬファイルを作成し、動画情報フォルダ２５内に動画ファイルと関連付けて保存する。同時に、動画情報フォルダ２５に保存されたＨＴＭＬファイル及び動画ファイルを用いて送信メールを作成し、登録されている受信端末装置５のメールアドレス宛に送信する。
【００３２】
ここで、メールの送信は、まず監視装置データベース２４のメールアドレス情報に、関係者（家族等）で登録されたメールアドレスに第１報として送信させることができる。また、支援者（近親者、警察、消防、自治体等）で登録されたメールアドレスには、関係者（家族等）の操作によって第２報として送信させることができる。
【００３３】
作成するメールの内容は適宜設定することができるが、通常、件名として、監視対象者の外出を検知した旨が付され、本文には、検知日時と、監視対象者情報及び画像ファイル情報を含むＨＴＭＬファイルにリンクが張られたＵＲＬが表示される。
【００３４】
ＨＴＭＬファイルの監視対象者情報としては、例えば、監視対象者の氏名、年齢、性別、特徴、外出時動画、住所、次の行動等を表示させることができる。また、表示された住所をクリックすることにより、リンクが張られた地図検索サービスが開いて行動範囲を確認できるように設定することもできる。また、動画ファイルはストリーミング方式により再生させることができる。
【００３５】
なお、サーバー２には上記監視装置データベース２４と各処理部のほか、外部からアクセスしたログ情報を管理するログデータベース２６が設けられる。ログデータベース２６では、起動時ログ、定期通信ログ、メール通信ログ等を管理している。
【００３６】
＜情報端末装置＞
情報端末装置３は、インターネット１を介してサーバー２にアクセスして監視装置データベース２４にデータを入力するとともに、サーバー２で生成させたＱＲコードを表示させるために用いる装置であり、具体的には、一般的なパソコンや、スマートフォン、タブレット端末等の携帯端末装置を用いることができる。
【００３７】
上記情報端末装置３によるサーバー２への情報入力は、ブラウザを介してサーバー２に接続し、接続用ＩＤ及びパスワードの入力による認証を経て、メニュー画面から監視装置データベース２４内の項目を選択し、入力画面からデータを入力することができる。
なお、情報端末装置３からサーバー２へのアクセスは、監視装置４に直接付されたＱＲコードを情報端末装置３のカメラで読み取ることにより表示されるＩＤ、パスワードの入力画面に、所定のＩＤ、パスワードを入力することにより行うことができる。
【００３８】
また、ＱＲコードの表示は、目的のＱＲコードを生成させる項目を選択したり、必要な情報を入力して登録することにより、ＱＲコードを生成させて表示させることができる。なお、情報端末装置３は、通常、監視装置４の初期設定時に使用するものであるが、後述する受信端末装置５と兼用することもできる。
【００３９】
＜監視装置＞
監視装置４は、登録した監視対象者の顔を認識したときに動画ファイルを作成し、サーバー２に情報を送信する装置であり、少なくとも、カメラ４０、顔データベース４５、通信設定処理部４１、顔登録処理部４２、顔認識処理部４３、動画ファイル処理部４４とを有している。図２に監視装置４の一実施形態の写真を示す。
【００４０】
（カメラ）
カメラ４０は、ＱＲコードの読み取り、顔登録、顔認識、動画撮影を行うために設けられるものである。カメラ４０は、一般的にパソコンや携帯端末装置に接続可能なカメラであれば特に制限なく用いることができ、例えば、ＣＭＯＳカメラやＣＣＤカメラ等を挙げることができる。
【００４１】
なお、本発明の監視装置４においては、図２の写真に示すように、カメラ４０を２つ設けて、一つは顔登録、顔認識を行うための顔認識用カメラとし、他の一つは動画の撮影、ＱＲコードの読み取りを行うための動画撮影用カメラとして機能を分離させることもできる。
【００４２】
（通信設定処理部）
通信設定処理部４１は、監視装置４の通信設定をＱＲコードにより行うための処理部である。具体的には、サーバー２で生成させた通信設定用ＱＲコードを情報端末装置３に表示させて、上記カメラ４０を介して読み取り、インターネット１に接続するための通信設定を行う。例えば、Ｗｉ−Ｆｉ等の無線ＬＡＮの環境下で接続するためには、ルーターとの接続設定が必要となるが、予めサーバー２の監視装置データベース２４の通信設定情報として、ＳＳＩＤ及びＳＳＩＤパスワード等のルーターの接続情報を入力し、この情報を含む通信設定用ＱＲコードを生成して、監視装置４に読み込ませることにより、通信設定を行うことができる。なお、通信設定処理部４１は、インターネット１に接続できればその様式は限定されず、有線、無線の何れの設定にも対応が可能である。また、通信設定後に通信ができない場合には、「通信ができません」等の音声アナウンスをスピーカー４６から出力させることができる。
【００４３】
（顔登録処理部）
顔登録処理部４２は、監視対象者登録用ＱＲコードにより、監視装置４に監視対象者の顔の登録を行うための処理部である。監視対象者登録用ＱＲコードは、監視対象者の情報を入力することにより生成され、これを情報端末装置３に表示させてカメラ４０から監視対象者の顔を読み取ることにより登録することができる。読み取られた監視対象者の顔の画像データは、監視装置４内の顔データベース４５に登録される。なお、顔登録に際し、「本人登録を開始します」等の音声アナウンスを出力させることができる。
【００４４】
また、顔登録においては、監視対象者以外の家族等の関係者の顔を関係者登録用ＱＲコードにより登録することができる。関係者登録用ＱＲコードは、サーバー２の関係者登録用ＱＲコードの生成機能により生成され、これを情報端末装置３に表示させてカメラ４０から関係者の顔を読み取ることにより登録することができる。読み取られた関係者の顔画像データは、監視対象者の顔と区別されて顔データベース４５に登録される。
なお、関係者の顔の画像データは複数人登録することができ、指定した関係者の登録番号により管理される。また、登録した関係者の顔の画像データの削除は、登録番号を指定して生成させた関係者削除用ＱＲコードを読み込ませることにより行うことができる。
関係者を登録することにより、例えば、監視対象者のみが顔認識された場合にはメールの送信が行われ、登録された家族と監視対象者が同時に顔認識された場合にはメールの送信が行われないようにすることができる。
【００４５】
（顔認識処理部）
顔認識処理部４３は、顔データベース４５に登録された監視対象者及び関係者の顔を認識する処理部であり、カメラ４０で監視している映像に、顔データベース４５に登録された監視対象者又は関係者の顔が写った場合に認識し、その結果を画像ファイル処理部に送る機能を有している。また、顔データベース４５に登録された監視対象者の顔のみを認識したときに、後述する予め音声選択ＱＲコードで設定した「お父さん、どこ行くの？」等の音声アナウンスをスピーカー４６から出力させることができる。
【００４６】
また、顔の認識の状態を視覚的に表示するために、図２に示すように、監視装置４にＬＥＤ等のランプ４７を設けて、カメラ４０が登録された顔を認識した場合に点灯させることもできる。なお、ランプ４７として赤と緑の２色点灯型のＬＥＤを用い、顔登録に関係なく顔認識時には赤ＬＥＤが点灯し、顔登録した顔の認識時には緑ＬＥＤが点灯するように設定することもできる。これにより、登録した顔が適正に認識されていることを確認することができる。
【００４７】
（動画ファイル処理部）
動画ファイル処理部４４は、登録された監視対象者の顔を認識した場合に、カメラ４０からの映像の動画ファイルを作成して、その認識したときの時間情報とともにサーバー２に送信する機能を有している。上記顔認識処理部４３が監視対象者の顔を認識すると、その情報を動画ファイル処理部４４が受け取り、カメラ４０からの映像の動画ファイル作成を開始する。なお、カメラ４０からの映像は、メモリ内で常に一定時間連続的な録画と削除が繰り返されており、顔の認識時には、その所定時間前から所定時間後までの映像を動画ファイルとして保存される。また、この動画ファイルと併せて顔を認識した時間情報が記録される。
【００４８】
＜受信端末装置＞
受信端末装置５は、サーバー２から送信されたメールを受信し、メールに記載されたＵＲＬに接続して監視対象者の情報及び動画等を確認するために用いる端末である。受信端末装置５は、インターネット１に接続可能で、メールの受信が可能なものであれば特に制限はなく、例えば、パソコン、スマートフォン、タブレット端末等を用いることができる。受信端末装置５のメールアドレスは、予めサーバー２の監視装置データベース２４内に登録しておく。また、受信端末装置５からサーバー２にアクセスして、サーバー２内の特定のデータを変更、削除することもできる。
【００４９】
以下に、本実施形態の監視システムを構成する上記サーバー２、監視装置４、情報端末装置３、受信端末装置５によるシステムの初期設定及びシステムの動作について図面を用いて詳述する。なお、以下に説明する実施形態では、監視装置４を家の玄関に設置するものとし、Ｗｉ−Ｆｉでインターネット１に接続し、家の中にいる徘徊癖のある監視対象者（以下、利用者ともいう）の外出を検知して関係者にメールを送信する実施形態を示している。また、システム構成の理解を容易にするために、サーバー２に対して、監視装置４、情報端末装置３、受信端末装置５を各々１台ずつアクセスする状態を示している。
【００５０】
＜システムの初期設定＞
まず、情報端末装置３からサーバー２にログインする。サーバー２へのアクセスは、監視装置４の本体に直接付されたＱＲコードを情報端末装置３のカメラで読み取ることにより、自動的に表示される図３に示す入力画面に、所定のＩＤ、パスワードを入力してログインすることができる。
【００５１】
なお、パスワードは、情報端末装置３からサーバー２へのアクセス後に変更が可能である。具体的には、まず、上記の方法にて情報端末装置３からサーバー２にアクセスし、ＩＤ及び初期設定のパスワードを入力してサーバー２にログインすると図４に示す利用者情報画面が表示される。次に、利用者情報画面（図４）のカメラ各種設定タブをクリックし、図６に示すログインパスワード変更タブをクリックし、図７に示すログインパスワード設定画面を開き、新しいログインパスワードを入力して設定することにより変更することができる。
【００５２】
次に、利用者の登録を行う。情報端末装置３からサーバー２にアクセスし、接続用ＩＤ及び利用者のパスワードを入力してサーバー２にログインすると、図４に示す利用者情報画面が表示される。初期設定では編集タブをクリックし、図５に示す利用者情報編集画面から利用者のデータを入力して保存する。入力項目は使用により適宜設定することができるが、通常、氏名（フリガナ）、性別、生年月日、住所、電話番号、身体的特徴等の項目が設けられている。
【００５３】
次に、監視装置４に対して通信設定を行うための通信設定用ＱＲコードを生成し、監視装置４のカメラ４０を介して通信設定用ＱＲコード読み取り通信設定を行う。具体的には、情報端末装置３からサーバー２にアクセスし、利用者情報画面（図４）のカメラ各種設定タブをクリックし、カメラ各種設定画面（図６）のＷｉ−Ｆｉ設定タブをクリックし、図８（Ａ）に示すＷｉ−Ｆｉ設定画面を開き、ＳＳＩＤ及びＳＳＩＤパスワードを入力して設定タブをクリックする。これにより図８（Ｂ）に示す通信設定用ＱＲコードが生成される。
【００５４】
そして、この通信設定用ＱＲコードを表示させた情報端末装置３の画面を監視装置４のカメラ４０の２０〜３０ｃｍ前に翳すことにより、監視装置４の通信設定処理部４１が通信設定用ＱＲコードを認識して、監視装置４の通信設定を完了させる。これにより、監視装置４がサーバー２にアクセス可能となる。なお、通信の設定後、監視装置４を再起動して通信ができない場合には、「通信ができません」との音声アナウンスが出力される。
【００５５】
次に、登録した利用者の顔を登録するための監視対象者登録用ＱＲコードを生成する。具体的には、情報端末装置３からサーバー２にアクセスし、利用者情報画面（図４）のカメラ各種設定タブをクリックし、カメラ各種設定画面（図６）の本人登録タブをクリックすることにより、図９に示す本人登録画面に生成された監視対象者登録用ＱＲコードが表示される。そして、この監視対象者登録用ＱＲコードを表示させた情報端末装置３の画面を監視装置４のカメラ４０の前に翳すことにより本人登録が開始される。
【００５６】
本人登録は、監視対象者登録用ＱＲコードが認識されると、「本人登録を開始します」等の音声アナウンスが出力されるので、これに従いカメラ４０の前に利用者の顔を向けることにより、情報端末装置３の画面に登録中のカメラ画像が表示される。次に、更新タブをクリックすることにより顔画像が更新される。なお、顔画像は複数登録することが可能であり、登録された顔画像は監視装置４内の顔データベース４５に保存される。
【００５７】
次に、受信端末装置５のメールアドレスの設定を行う。情報端末装置３からサーバー２にアクセスし、利用者情報画面（図４）のメール宛先設定タブをクリックし、図１０（Ａ）に示す関係者（家族等）のメール宛先設定画面に受信端末装置５のメールアドレスを入力して、保存タブをクリックすることにより送信するメールアドレスが登録される。なお、メールアドレスは複数登録することができる。
【００５８】
また、関係者（家族等）のメール宛先設定画面（図１０（Ａ））をスクロールすると、図１０（Ｂ）に示す支援者（近親者、警察、消防、自治体等）のメール宛先設定画面が現れ、支援者等の受信端末装置５のメールアドレスを入力、保存することによりメールアドレスが登録される。
関係者（家族等）のメール送信と、支援者（近親者、警察、消防、自治体等）のメール送信は関係者の第１報と支援者の第２報で区別される。
【００５９】
また、上記の必須の設定以外に、必要に応じて家族等の関係者の顔の登録を行う。関係者の顔の登録は、関係者登録用ＱＲコードにより登録することができる。関係者登録用ＱＲコードは、カメラ各種設定画面（図６）から、家族登録タブをクリックすることにより図１１示す家族登録画面に表示され、これを情報端末装置３に表示させてをカメラ４０から家族等の関係者の顔を読み取ることにより登録される。
【００６０】
さらに、上記以外に、顔認識した際に再生させる音声アナウンスの設定、音声アナウンスの音量設定、カメラ映像テストを各々のＱＲコードにより設定、確認することができる。
【００６１】
音声アナウンス設定用ＱＲコードは、利用者情報画面（図４）のカメラ各種設定タブをクリックし、カメラ各種設定画面（図６）から音声選択タブをクリックして、図１２に示す音声選択画面を開き、音声のプルダウンメニューから音声の種類を選択することにより生成される。生成された音声アナウンス設定用ＱＲコードを監視装置４のカメラ４０を介して認識させることにより、音声アナウンスの設定が完了する。
【００６２】
音量設定用ＱＲコードは、カメラ各種設定画面（図６）から音量設定タブをクリックして、図１３に示す音量設定画面を開き、音量のプルダウンメニューから音量の種類を選択することにより生成される。生成された音量設定用ＱＲコードを監視装置４のカメラ４０を介して認識させることにより、音声アナウンスの音量の設定が完了する。
【００６３】
カメラ映像テスト用ＱＲコードは、カメラ各種設定画面（図６）からカメラ映像テストタブをクリックすることにより、図１４に示すカメラ映像テスト画面に表示される。表示されたカメラ映像テスト用ＱＲコードを監視装置４のカメラ４０を介して認識させると、「カメラ映像確認を開始します」のアナウンスが出力され、確認後に「カメラ映像確認を終了します」のアナウンスが出力されて終了する。
【００６４】
さらに、監視装置４の電源を切断するための電源ＯＦＦ用ＱＲコードも生成することができる。電源ＯＦＦ用ＱＲコードは、カメラ各種設定画面（図６）から電源ＯＦＦタブをクリックして、図１５に示す電源ＯＦＦ画面を開くことにより電源ＯＦＦ用ＱＲコードが表示される。表示された電源ＯＦＦ用ＱＲコードを監視装置４のカメラ４０を介して認識させると、「１５秒後に電源ケーブルを抜いてください」の音声アナウンスが出力されて監視装置４の電源が切断される。
【００６５】
上記のとおり、本発明の監視システムでは、サーバー２へのデータの入力は全て情報端末装置３から行われ、監視装置４の設定は全て情報端末装置３を介してＱＲコードの読み込みにより行われる。そのため、サーバー２や監視装置４に対してモニターやキーボードを接続する必要がなく、簡便かつ確実に設定を行うことができる。
【００６６】
＜システムの動作＞
上記の初期設定を行った監視装置４のカメラ４０を利用者の顔を臨む玄関先に設置する。これにより、監視装置４の顔認識処理部４３が登録された利用者の顔の検知を開始する。
そして、顔認識処理部４３が利用者の顔を認識すると、顔の認識の所定時間前から所定時間後までの映像を動画ファイルとして保存する。また、この動画ファイルと併せて認識した時間情報が記録される。なお、認識の所定時間前とは、通常１０秒に設定されており、所定時間後は通常１０秒に設定されている。
【００６７】
また、顔認識の際には、音声選択にて予め設定されているメッセージ、例えば、「お父さん、どこ行くの？」等のメッセージが出力されて、利用者の徘徊の引き止めを行う。ここで、予め家族等の関係者の顔を登録しておき、所定の設定をした場合には、登録された家族と利用者が同時に顔認識された場合にメールの送信が行われないようにすることができる。
【００６８】
作成された動画ファイルは、時間情報とともにサーバー２に送信され、動画ファイルが動画情報フォルダ２５内に保存されると、サーバー２のメール送信処理部２３が動画情報フォルダ２５に保存されたＨＴＭＬファイル及び動画ファイルを用いて送信メールが作成され、登録されている受信端末装置５のメールアドレス宛にメールを送信する。
【００６９】
ここで、メールの送信は、まず関係者（家族等）で登録されたメールアドレスに第１報として送信され、登録した支援者（近親者、警察、消防、自治体等）のメールアドレスには後述する第２報として送信される。
【００７０】
受信端末装置５が受信したメールには、図１６に示すように「利用者の外出を検知しました」との件名が付される。また、本文には、検知日時及び利用者情報及び画像ファイルが閲覧可能なページにリンクが張られたＵＲＬが表示され、該ＵＲＬをクリックすることによりＷｅｂブラウザが起動し、利用者情報と外出時の動画を確認することができる。
閲覧可能なページには、図１７に示すような、利用者の氏名、年齢、性別、特徴、外出時動画、住所、次の行動が表示されている。動画ファイルはストリーミング方式により再生される。また、表示された住所をクリックすることにより、地図検索サービスが開いて所在地を確認することができる。これにより、例えば、支援者（近親者、警察、消防、自治体等）が捜索する際の情報として活用することができる。
【００７１】
さらに、次の行動として「支援者へメール送信」及び「発見しました」のタブが設けられており、「支援者へメール送信」タブをクリックすることにより、登録した支援者の受信端末装置５に第２報としてのメールが一斉送信される。また、外出した利用者を発見した場合には、「発見しました」タブをクリックすることにより、動画データは自動的に削除される。
【００７２】
以上、本発明を一実施形態に基づいて説明したが、本発明は上記の実施形態に限定されるものではなく、その要旨を逸脱しない範囲内において種々の変形、変更が可能である。
【００７３】
例えば、上記実施形態では、動画ファイルをカメラ４０からの映像で作成する実施形態について説明したが、監視装置４にカメラ４０とともにマイクを設けて音声データも取得して、音声付き画像ファイルとして作成することもできる。
【００７４】
また、上記実施形態では、監視装置４を玄関に設置する態様について説明したが、例えば、監視対象者が外に出る可能性のある勝手口やリビング等の大きい窓、また、施設の階段や通路等に複数設置することもできる。
【００７５】
上記実施形態の監視システムによれば、システムの構築が非常に簡単であり、２４時間監視対象者の移動を監視し、かつ、監視対象者の徘徊の虞を、登録した家族や支援者に対してメールで連絡することが可能となる。
【符号の説明】
【００７６】
１  通信ネットワーク（インターネット）
２  サーバー
２０  アクセス制御部
２１  ＱＲコード生成処理部
２２  画面表示処理部
２３  メール送信処理部
２４  監視装置データベース
２５  動画情報フォルダ
２６  ログデータベース
３  情報端末装置
４  監視装置
４０  カメラ
４１  通信設定処理部
４２  顔登録処理部
４３  顔認識処理部
４４  動画ファイル処理部
４５  顔データベース
４６  スピーカー
４７  ランプ
５  受信端末装置
【図１】
2020135047.tif 000003
【図２】
2020135047.tif 000004
【図３】
2020135047.tif 000005
【図４】
2020135047.tif 000006
【図５】
2020135047.tif 000007
【図６】
2020135047.tif 000008
【図７】
2020135047.tif 000009
【図８】
2020135047.tif 000010
【図９】
2020135047.tif 000011
【図１０】
2020135047.tif 000012
【図１１】
2020135047.tif 000013
【図１２】
2020135047.tif 000014
【図１３】
2020135047.tif 000015
【図１４】
2020135047.tif 000016
【図１５】
2020135047.tif 000017
【図１６】
2020135047.tif 000018
【図１７】
2020135047.tif 000019